(57)【要約】      （修正有）【課題】装置起動時や記録動作前に最適な時間でインク撹拌動作を行い良好な記録を実現するインクジェット記録装置を提供する。【解決手段】インクタンクと、そこに接続されインクタンクから供給されたインクを貯留するサブタンクと、そのサブタンクから供給されたインクを用いて記録ヘッドにより記録媒体に記録を行う記録装置であって、容積変化が可能な開閉弁の動作によりインクタンクからサブタンクにインクを供給する供給手段とを備え、サブタンクへインク充填が確認されるまで開閉弁の開閉動作を行ってサブタンクにインクを供給し、供給手段のインク供給能力を推定する。次に、推定されたインク供給能力に基いて、供給手段によるインク供給によって生じるインクの流れを用いてインクタンクとサブタンクに貯留されたインクを撹拌する撹拌動作の回数を決定する。そして、決定された回数、供給手段を動作させてインクタンクとサブタンクのインクを撹拌する。【選択図】図１１
2017170751.tif 000002
【特許請求の範囲】
【請求項１】
インクを貯留する脱着可能なインクタンクと、
前記インクタンクから供給されるインクを貯留するサブタンクと、
前記サブタンクから供給されるインクを用いて記録媒体に記録を行う記録ヘッドと、
前記インクタンクと前記サブタンクを接続する第１インク流路と、
前記第１インク流路を通じて、前記インクタンクと前記サブタンクの間でインクを移動させるポンプ機構と、
前記サブタンク内のインクの液面が第１の高さに達したことを検知する検知手段とを備えるインクジェット記録装置であって、
前記サブタンク内のインクの液面が予め定められた高さにある状態で前記ポンプ機構を駆動させ、前記検知手段によって前記サブタンク内のインクの液面が前記予め定められた高さから前記第１の高さに達したことが検知されるまでの前記ポンプ機構の駆動量に関する駆動量情報を取得する取得の動作を行う取得手段と、
前記取得手段によって取得された前記駆動量情報に基いて、前記ポンプ機構を制御する制御手段とを有することを特徴とするインクジェット記録装置。
【請求項２】
前記ポンプ機構は、
前記サブタンクと前記記録ヘッドを接続する第２インク流路に配置され、内部容積が変化可能な容積可変部と、
前記容積可変部を駆動する駆動手段とを有することを特徴とする請求項１に記載のインクジェット記録装置。
【請求項３】
前記駆動量情報は、前記取得の動作において前記駆動手段によって前記容積可変部の内部容積を変化させた駆動回数に関する情報であることを特徴とする請求項２に記載のインクジェット記録装置。
【請求項４】
前記制御手段は、前記取得の動作における前記駆動回数に関する情報に基づき、前記ポンプ機構による前記インクタンクと前記サブタンクの間でのインクの移動によって前記インクタンクおよび前記サブタンク内のインクを撹拌する撹拌動作において、前記駆動手段によって前記容積可変部の内部容積を変化させる駆動回数を決定することを特徴とする請求項３に記載のインクジェット記録装置。
【請求項５】
前記インクジェット記録装置が起動されずに放置された時間を算出する算出手段と、
前記算出手段により算出された時間に基づき、前記撹拌動作における駆動回数を補正する補正手段とを有することを特徴とする請求項４に記載のインクジェット記録装置。
【請求項６】
前記補正手段は、前記インクタンクに貯留されるインクの特性に従って、前記撹拌動作における駆動回数を補正することを特徴とする請求項５に記載のインクジェット記録装置。
【請求項７】
前記インクの特性とは、インクに含まれる色剤の沈降率であることを特徴とする請求項６に記載のインクジェット記録装置。
【請求項８】
前記インクタンク内にインクが満タンである場合、前記駆動手段により前記容積可変部の内部容積を拡大変形させたとき、前記第１インク流路を通じて前記インクタンクから前記サブタンクへのインクの流れが発生し、前記容積可変部の内部容積を縮小変形させたとき、前記第１インク流路を通じて前記サブタンクから前記インクタンクへのインクの流れが発生することによって、前記インクタンクと前記サブタンク内のインクが撹拌されることを特徴とする請求項２乃至７のいずれか１項に記載のインクジェット記録装置。
【請求項９】
前記検知手段は、
前記第１インク流路を構成し、前記インクタンクの底部と、前記サブタンクの上部とに接続される通電性を有する中空管と、
前記サブタンク内において、前記第１の高さに設けられた電極部とを備えることを特徴とする請求項１乃至８のいずれか１項に記載のインクジェット記録装置。
【請求項１０】
前記取得手段は、前記インクジェット記録装置が起動されたときに、前記駆動量情報を取得することを特徴とする請求項１乃至９のいずれか１項に記載のインクジェット記録装置。
【請求項１１】
前記取得手段は、前記インクジェット記録装置の使用中の予め定められたタイミングで前記駆動量情報を取得することを特徴とする請求項１０に記載のインクジェット記録装置。
【請求項１２】
前記予め定められた高さは、前記サブタンク内のインクが最小許容容量になったときの前記サブタンク内の液面の位置であることを特徴とする請求項１乃至１１のいずれか１項に記載のインクジェット記録装置。
【請求項１３】
前記取得手段は、前記サブタンク内のインクが前記最小許容容量まで消費されて前記インクタンクが交換された後、前記インクタンクから前記サブタンクへインクを充填する際に前記取得の動作を行うことを特徴とする請求項１２に記載のインクジェット記録装置。
【発明の詳細な説明】
【技術分野】
【０００１】
本発明はインクジェット記録装置に関する。本発明は、特に、例えば、インクを貯留するインクタンクとサブタンクとを備えたインクジェット記録装置に関する。
【背景技術】
【０００２】
近年、インクジェット記録装置は、高画質化・高速化が進んだことより、パーソナル用途のみでなく版下作成や商用目的の印刷物の出力装置として使用されている事例が多く見受けられるようになった。インクジェット記録装置が、例えば、商用目的の印刷物の出力装置として用いられる場合、装置のダウンタイムを削減することが重要なテーマとなる。このため、装置に一定量のインクを保持するサブタンクを設け、メインタンクが空になってもサブタンクのインクを用いて記録を続け（以下、ストップレス記録）、その間にメインタンクを交換できる機構を有する記録装置が開発され実用に供されている。ストップレス記録の時間は、サブタンクの容量と記録画像・記録媒体のサイズ等によって決まるが、メインタンクが空になってから、メインタンクを交換する時間を確保するために必要な量がサブタンクに確保されている事が望ましい。また、メインタンク交換の際や記録動作開始時には記録を行えないアイドルタイムが存在するが、商用目的の印刷物の出力装置の場合、アイドルタイムの長さはコストに直接に影響するため、アイドルタイムが極力短い事が望ましい。
【０００３】
また、インクジェット記録装置の課題の１つとして、耐水性や耐候性と言った画像の堅牢性があげられる。近年、これら堅牢性を向上する目的から顔料インクを用いるインクジェット記録装置が提案されている。一般に顔料を用いたインクでは顔料粒子がメインタンクおよびサブタンク等の内部で沈降し、顔料濃度の局所的な画像濃度ムラが生じる事が課題となっている。この課題を解決するために、例えば、特許文献１に開示されたような形態により各タンク内のインクの撹拌を行い、沈降による濃度ムラを防止する技術も提案されている。
【０００４】
また、特許文献２に開示されているように、サブタンクと記録ヘッドの間に流路を遮断する弁を兼ねた容積変化部材（以下、ダイアフラム弁）を設け、これによりサブタンク内を負圧・加圧にすることでメインタンクからサブタンクへのインク充填を行っている。
【先行技術文献】
【特許文献】
【０００５】
【特許文献１】特開２００８−２２９９５８号公報
【特許文献２】特開２０１０−２０８１５１号公報
【発明の概要】
【発明が解決しようとする課題】
【０００６】
しかしながら、特許文献２で提案のダイアフラム弁では公差による部品バラつきや動力の伝達ロスによるストローク等の違いによって供給能力に差が生じる可能性がある。特許文献１に記載のインクジェット記録装置では同様の弁機構によりインクタンク内の撹拌を行っており、これらダイアフラム弁の供給能力の差はそのまま撹拌能力に影響を及ぼす。このため、従来の構成では、ダイアフラム弁の供給能力に差が生じる可能性がある場合、想定される最も能力の低いダイアフラム弁を基準として撹拌動作を行うようにしている。
【０００７】
このため、実際のインクジェット記録装置において、供給・撹拌能力が低いダイアフラム弁が存在しない場合には、インク撹拌動作が冗長なものとなってしまうことがある。また、ダイアフラム弁の経時劣化を考慮してインク撹拌動作を行うように設定されたインクジェット記録装置では、その使用初期においてインク撹拌動作が冗長なものとなってしまうことがある。このため、例えば、記録開始前や装置起動時にインク撹拌動作が必要な場合に、その時間が必要以上に長くなってしまい、ユーザにとっては無駄な待ち時間が生じていた。
【０００８】
本発明は上記従来例に鑑みてなされたもので、装置起動時や記録動作前に最適な時間でインク撹拌動作を行い良好な記録を実現するインクジェット記録装置を提供することを目的とする。
【課題を解決するための手段】
【０００９】
上記目的を達成するために本発明のインクジェット記録装置は、次のような構成からなる。
【００１０】
即ち、インクを貯留する脱着可能なインクタンクと、前記インクタンクから供給されるインクを貯留するサブタンクと、前記サブタンクから供給されるインクを用いて記録媒体に記録を行う記録ヘッドと、前記インクタンクと前記サブタンクを接続する第１インク流路と、前記第１インク流路を通じて、前記インクタンクと前記サブタンクの間でインクを移動させるポンプ機構と、前記サブタンク内のインクの液面が第１の高さに達したことを検知する検知手段とを備えるインクジェット記録装置であって、前記サブタンク内のインクの液面が予め定められた高さにある状態で前記ポンプ機構を駆動させ、前記検知手段によって前記サブタンク内のインクの液面が前記予め定められた高さから前記第１の高さに達したことが検知されるまでの前記ポンプ機構の駆動量に関する駆動量情報を取得する取得の動作を行う取得手段と、前記取得手段によって取得された前記駆動量情報に基いて、前記ポンプ機構を制御する制御手段とを有することを特徴とする。
【発明の効果】
【００１１】
従って本発明によれば、装置起動時や記録動作前に最適な時間でインク撹拌動作を行い無駄な待ち時間を最小にできるという効果がある。
【図面の簡単な説明】
【００１２】
【図１】本発明の代表的な実施例であるインクジェット記録装置の構成概略を示す部分破断斜視図である。
【図２】図１に示した記録装置のインク供給系の構成を示す図である。
【図３】図１に示す記録装置の制御構成を示すブロック図である。
【図４】インクタンク内のインクを使い切り、サブタンク内のインクを使用して記録動作を実行している（ストップレス記録）状況でのインク供給系の状態を示す図である。
【図５】ストップレス記録の制御シーケンスを示すフローチャートである。
【図６】インクタンクを交換後のインク供給系の状態を示す図である。
【図７】ストップレス記録制御中に必要となるサブタンク充填制御の詳細な処理シーケンスを示すフローチャートである。
【図８】開閉弁の動作に伴って変化するインクの流れを示す図である。
【図９】攪拌動作の処理を示すフローチャートである。
【図１０】インク供給手段（開閉弁）の供給能力と撹拌能力の関係を示す図である。
【図１１】インク供給手段（開閉弁）のインク供給能力を推定する処理を示すフローチャートである。
【図１２】８色のインクの特性を示す図である。
【発明を実施するための形態】
【００１３】
以下添付図面を参照して本発明の好適な実施例について、さらに具体的かつ詳細に説明する。なお、既に説明した部分には同一符号を付し重複説明を省略する。
【００１４】
なお、この明細書において、「記録」（「プリント」という場合もある）とは、文字、図形等有意の情報を形成する場合のみならず、有意無意を問わない。また人間が視覚で知覚し得るように顕在化したものであるか否かを問わず、広く記録媒体上に画像、模様、パターン等を形成する、または媒体の加工を行う場合も表すものとする。
【００１５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１６】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００１７】
またさらに、「ノズル」とは、特にことわらない限り吐出口ないしこれに連通する液路およびインク吐出に利用されるエネルギーを発生する素子を総括して言うものとする。
【００１８】
次に、インクジェット記録装置の実施例について説明する。この記録装置は、ロール状に巻かれた連続シート（記録媒体）を使用し、そのシートにＢ０やＡ０サイズの画像を記録する大判プリントを行う装置である。なお、使用する記録媒体にカット紙を用いても良いことは言うまでもない。
【００１９】
図１は、本発明の代表的な実施例であるインクジェット記録装置の構成概略を示す部分破断斜視図である。
【００２０】
図１に示すように、インクジェット記録装置（以下、記録装置）５０は互いに向き合った２つの脚部５５の上端部に跨るように固定されている。キャリッジ６０には、記録ヘッド１が搭載されている。記録時は搬送ロールホルダユニット５２にセットされた記録媒体を記録位置まで給紙し、キャリッジ６０がキャリッジモータ（不図示）及びベルト６２より矢印Ｂで示す方向（主走査方向）に往復移動しながら、記録ヘッド１の各ノズルからインク滴が吐出される。キャリッジ６０が記録媒体の一端まで移動すると、搬送ローラ５１が所定量だけ記録媒体を矢印Ａで示す方向（副走査方向）へ搬送する。このように記録動作と搬送動作とを交互に繰り返すことにより記録媒体全体に画像を形成する。画像形成後は、カッタ（不図示）によって記録媒体をカットし、カットされた記録媒体はスタッカ５３に積載されていく。
【００２１】
インク供給ユニット６３には、黒、シアン、マゼンタ、イエロなどといったインク色ごとに分かれた（装置に脱着可能な）インクタンク５が備えられており、インクタンク５は供給チューブ２に接続されている。また、供給チューブ２はキャリッジ６０の往復運動の際に暴れることのないように、チューブガイド６１によって束ねられている。
【００２２】
記録ヘッド１の記録媒体に対向した面には主走査方向と略直交した方向に複数のノズル列（不図示）を持ち、ノズル列単位で供給チューブ２と接続している。
【００２３】
さらに回復ユニット７０が主走査方向に記録媒体範囲外で、かつ記録ヘッド１のノズル面に対向する位置に設けられている。回復ユニット７０は、必要に応じて記録ヘッド１のノズル面からインク又は空気を吸い出すノズルのクリーニングや記録ヘッド内部に溜まった空気を強制的に吸い出す吸引動作を実行する。
【００２４】
記録装置５０の右側には操作パネル５４が設けられており、インクタンク５内のインクが空になった際に警告メッセージを表示してユーザにその旨を通知し、インクタンク５の交換を促すことができる。
【００２５】
図２に図１に示した記録装置のインク供給系の構成を示す図である。前述のように、記録装置５０は複数の色のインクを使用するがインク供給系の構成は、複数のインクにわたって共通な構成なので、ここでは一色のインクの供給系について示す。
【００２６】
図２に示すように、記録装置に脱着可能な容積一定のインクタンク５は底部に２か所のジョイント部を有しており、そのジョイント部が装置の第１の中空管８及び第２の中空管９と連結している。第１の中空管８及び第２の中空管９は通電性を有する中空の金属針で構成されている。インクタンク５内の第２の中空管９の周囲にインクタンク底面から立ち壁４２が形成されている。この構造により、第１の中空管と第２の中空管との間に微小電流（定電流）を流した場合、立ち壁４２よりも貯留したインク液面の高さが低くなっていると、インクを介した電流の流れが妨げられ、２つの中空管の間の抵抗値が増加する。これによって、インクタンク５内のインク切れが近いことを検出可能にしている。
【００２７】
また、インクタンク５が記録装置から外された場合にも、２つの中空管の間の抵抗値が増加し、新たなインクタンク５と交換された後には、２つの中空管の間の抵抗値が低下するので、このような抵抗値の変化からもインクタンクの脱着を検出可能である。
【００２８】
第２の中空管９は大気連通室６に連通しており、大気連通室６内の大気連通路７を介して、インクタンク５は大気と連通する。また、インクタンク５の底面４５と容積一定のサブタンク４の天面４６とを第１の中空管８で連通し、サブタンク４と記録ヘッド１は供給チューブ２を介して連通している。従って、第１の中空管８はインクタンク５とサブタンク４とを接続するインク流路（第１インク流路）としての役目を果たす。サブタンク４は天面の略全域を垂直方向下側にいくほど断面積が広がる傾斜面４９で構成し、最も高い位置（即ち、天面４６）で第１の中空管８と接続している。そして、サブタンク４内の上部には、金属によって構成された電極部（中実管）１０が設けてある。第１の中空管８と電極部１０との間に微小電流（定電流）を流した際、これらの間の抵抗値により、サブタンク内のインクが満タンかどうかを検知している。
【００２９】
サブタンク４からのインク流出口は側面４７の最も低い位置４８に設けている。サブタンク４と供給チューブ２との間には供給流路を開放／閉塞することが可能な容積変化可能な可撓性部材によって構成された開閉弁３が設けてある。開閉弁３は圧縮バネ３８で常時開放方向に付勢されており、カム３７によってレバー３９が押され、中心軸４０を中心に回転することで閉塞する。カム３７はフォトセンサ４１によって位置出し可能に構成しており、駆動源であるＤＣモータ３５によりギア３６を介して回転制御している。
【００３０】
なお、ここでは開閉弁３がサブタンク４に具え付けられている構成を示しているが、サブタンク４と記録ヘッド１との間の供給チューブ２に開閉弁３を設けてもよい。供給チューブ２は記録ヘッド１とサブタンク４とを接続するインク流路（第２インク流路）としての役目を果たす。
【００３１】
次に、記録ヘッド１の内部に空気が溜まっている際に、強制的に記録ヘッド１内部の空気を抜き取る、弁閉じ吸引について説明する。
【００３２】
弁閉じ吸引では、供給流路中に設けた開閉弁３によってインク流路を閉塞し、回復ユニット７０によってノズル面にキャップを密着させて、ポンプでノズル内のインクや空気を吸引する。具体的には、ある一定時間（この実施例では約２５秒）吸引を実行して、記録ヘッド１内部の空気を強制的に抜き取り、その後、開閉弁３でインク流路を開放する。インク流路を開放することで、インクタンク５からインクが供給され、記録ヘッド１の内部が規定量のインクで満たされる。この実施例では、記録ヘッド１内部の空気を除去するためにインク供給流路を閉塞／開放するための開閉弁３が必要となっている。
【００３３】
このような弁閉じ吸引は、インクの初期充填時にも活用される。インクの初期充填時にはインクタンク５の装着を記録装置５０が検知すると、まず数回弁閉じ吸引を繰り返し（この実施例では４回）、その後、後述するサブタンク充填制御（図７参照）を実行する。これによりサブタンク４から記録ヘッド１までをインクで満たすことができる。
【００３４】
以上のような構成から、開閉弁３、圧縮バネ３８、カム３７、レバー３９、ＤＣモータ３５、ギア３６を含めた構成は、ポンプ機構とも呼ばれる。また、弁閉じ吸引の回数はポンプ機構の駆動量（駆動回数）とも言える。このポンプ機構の駆動量は、ＤＣモータ３９を駆動させる駆動回路（不図示）に対して以下に説明する制御構成のＣＰＵから駆動量情報として与えられる。
【００３５】
図３は図１に示す記録装置の制御構成を示すブロック図である。
【００３６】
図３に示されるように、主制御部１００はＣＰＵ１０１、ＲＯＭ１０２、ＲＡＭ１０３、入出力ポート１０４などを備える。ＣＰＵ１０１は演算、制御、判別、設定などの処理を実行し、ＲＯＭ１０２はＣＰＵ１０１が実行する制御プログラム等を格納し、ＲＡＭ１０３はインク吐出／非吐出を表す２値データを格納するバッファやＣＰＵ１０１による処理の作業領域等として用いられる。
【００３７】
入出力ポート１０４には、搬送モータ（ＬＦモータ）１１３、キャリッジモータ（ＣＲモータ）１１４、記録ヘッド１、回復ユニット７０などの各駆動回路１０５、１０６、１０７、１０８が接続されている。さらに、入出力ポート１０４には、記録ヘッド１の温度を検出するヘッド温度センサ１１２やキャリッジ６０に固定されたエンコーダセンサ１１１や記録装置の使用環境である温度と湿度を検知する温湿度センサ１０９などのセンサ類が接続されている。また、主制御部１００はインタフェース回路１１０を介してホストコンピュータ１１５に接続されている。
【００３８】
回復処理カウンタ１１６は回復ユニット７０によって記録ヘッド１から強制的にインクを排出させた場合に、そのインク量をカウントする。また、予備吐出カウンタ１１７は、記録開始前や記録終了時、記録中に行われる予備吐出の回数をカウントする。そして、フチ無しインクカウンタ１１８は、フチ無し記録を行う場合に記録媒体領域外に記録されるインク液滴の数をカウンタする。さらに、１吐出ドットカウンタ１９は、記録中に吐出されるインク液滴の数をカウントする。これら４つのカウンタは入出力ポート１０４を介して主制御部１００に接続される。
【００３９】
次に、以上の構成を有する記録装置によって実行される記録動作を説明する。
【００４０】
ホストコンピュータ１１５からインタフェース回路１１０を介して記録データを受信すると、その記録データはＲＡＭ１０３のバッファに展開される。そして、記録動作が指示されると、搬送ユニット（不図示）が作動し、記録媒体を記録ヘッド１との対向位置へと搬送する。ここで、キャリッジ６０はガイド軸（不図示）に沿って所定の方向（主走査方向）へと移動する。キャリッジ６０の移動に伴って、記録ヘッド１からはインク滴が吐出され、記録媒体に１バンド分の画像が記録される。この後、搬送ユニットにより、記録媒体はキャリッジ６０と直交する方向（副走査方向）に１バンド分だけ搬送される。以上の動作を繰り返すことにより、記録媒体には所定の画像が形成される。
【００４１】
なお、キャリッジ６０の位置は、キャリッジ６０の移動に伴ってエンコーダセンサ１１１から出力されるパルス信号を主制御部１００でカウントすることにより検出される。即ち、エンコーダセンサ１１１は、主走査方向に沿って配置されたエンコーダフィルム（不図示）に一定の間隔で形成されたスリットを検出することによってパルス信号を主制御部１００へ出力する。主制御部１００はこのパルス信号をカウントすることにより、キャリッジ６０の位置を検出する。キャリッジ６０のホームポジション及びその他の位置への移動は、エンコーダセンサ１１１からの信号に基づいて行われる。
【００４２】
図４はインクタンク５内のインクを使い切り、サブタンク４内のインクを使用して記録動作を実行している（ストップレス記録）状況でのインク供給系の状態を示す図である。なお、図４において、図２を参照して既に説明した構成要素には同じ参照番号を付し、その説明は省略する。
【００４３】
図５はストップレス記録の制御シーケンスを示す図である。
【００４４】
記録装置５０はインクタンク５内のインクを使い切った際は、サブタンク４内のインクを用いて画像形成を継続可能であり、サブタンク４内のインクを消費すると、大気連通路７からインクタンク５を経由して空気がサブタンク４に導入される。図４に示すように、導入された空気はサブタンク４の上方に溜まる。このような状態でされたにサブタンク４内のインクをさらに消費すると、サブタンク４内のインク面が低下し、第１の中空管８と電極部１０とがインクを介して電気的に接続されなくなる。その結果、これらの間に電流が流れにくくなる。
【００４５】
従って、ステップＳ２０１では、第１の中空管８と電極部１０との間に微小電流を流し、これらの間の電圧値を測定することで、サブタンク４内のインクが消費されている（即ち、サブタンクが満タンではない）ことを検知することができる。ここで、サブタンク４内のインクを消費されていると判断されることは、インクタンク５が空になったことを示しており、処理はステップＳ２０２に進み、ユーザにインクタンク５が空であることを操作パネルを通じて通知し、インクタンクの交換を促す。
【００４６】
インクタンク５が交換されるまでの間、サブタンク４内のインク使用許容量（最小許容容量）までは画像形成を許容し、続行する。この実施例では、その許容量は約１１ｍｌであり、記録装置５０では記録可能な最大サイズの用紙に１００％の濃度で記録した場合に最低１枚は記録可能なインク量に相当する。インク使用許容量を使用しきったかどうかは次の方法で判定する。即ち、サブタンク４内のインク使用許容量を予め記録装置に記憶させておき、記録ヘッド１からのインク液滴吐出数をカウントすることでインク消費量を計算する。次に、その消費量と許容量を比較して、消費量が許容量以下であれば、記録を許容し、許容量を超えた場合は、画像形成を停止させて、インクタンク５が空であることを通知しながらインクタンク５の交換を待つ。ここでは、サブタンク４のインク残量をその検知手段を設けずに、インクの吐出量に換算する方法を用いたが、サブタンク４内にインク残量検知手段を設けても良い。
【００４７】
ステップＳ２０３では、サブタンク４内のインク使用許容量を消費しきる前にインクタンクを交換したかどうかを調べ、交換がなされたと判断した場合、処理はステップＳ２０４に進み、画像形成中であるかどうかを調べる。そして、画像形成中であると判断された場合には、その画像形成の終了を待ち合わせる。そして、画像形成の停止を確認して、処理はステップＳ２０５に進み、次の画像形成の開始前にサブタンク４内にインクを充填する。なお、サブタンクへのインク充填制御の詳細については後述する。充填後に次の画像形成を開始する。このようにして、画像形成の間（例えば、あるページとその次のページの記録の間など）に、サブタンクへのインク充填を行う。
【００４８】
これに対して、ステップＳ２０３において、インクタンク５の交換がまだなされていないと判断された場合、処理はステップＳ２０６に進み、さらにサブタンク４内のインク使用許容量を消化しきったかどうかを調べる。ここで、その許容量を消化したと判断された場合、処理はステップＳ２０７に進み、直ちに記録動作を停止する。これは、記録を停止しないと、サブタンク４からインク供給流路を経由して記録ヘッド１へ空気が混入し、結果、インク吐出不良が発生し、記録画像の品位が低下するためである。そして、ステップＳ２０８では、インクタンク５の交換を促すメッセージを表示する。
【００４９】
図６はインクタンク５を交換後のインク供給系の状態を示す図である。
【００５０】
図６において、（ａ）は開閉弁３を閉塞から開放にした状態を示し、（ｂ）は開閉弁３を開放から閉塞にした状態を示している。
【００５１】
この実施例では、開閉弁３の容積をＶ１、第１の中空管の容積をＶ２とした際に、Ｖ１＞Ｖ２の関係が成り立つようにしている。この実施例では、Ｖ１＝約０．４５ｍｌ、Ｖ２＝約０．０９ｍｌである。従って、図６（ａ）に示すように、開閉弁３を閉塞状態から開放状態にすると、第１の中空管８にインクが存在しないため容積Ｖ１−Ｖ２（約０．３６ｍｌ）分のインクをインクタンク５からサブタンク４へ引き込むことができる（インクの流入）。この容積をＶ３（＝Ｖ１−Ｖ２）とする。その際、インクタンク５へは大気連通室６から空気が容積Ｖ３分引き込まれる（空気の流出）。
【００５２】
その後、図６（ｂ）に示すように、ＤＣモータ３５によってカム３７を回転させてレバー３９により開閉弁３を押圧させ、開放状態から閉塞状態にする。第１の中空管８内がインクで満たされているため、これにより、サブタンク４内の空気が容積Ｖ３分だけサブタンク４からインクタンク５へ押し出される。この際、インクタンク５から容積Ｖ３分のインクが大気連通室６へ押し出される。この時、開閉弁３から記録ヘッド１までのインク供給流路の圧損および記録ヘッドのノズルおよびヘッド内のフィルタ部分のメニスカス抵抗力が開閉弁３からインクタンク５までの圧損に比べてはるかに大きいため、インクは記録ヘッド１側には殆ど流れない。
【００５３】
その後、再び図６（ａ）に示すように、ＤＣモータ３５によってカム３７を回転させて、圧縮バネ３８でレバー３９を付勢すると、開閉弁３は閉塞状態から開放状態になる。その際、大気連通室６からインクをＶ３分インクタンク５へ引き込むと当時にインクタンク５からサブタンク４へＶ３分インクを引き込む。その後、再びＤＣモータ３５を回転させて図６（ｂ）に示すように開閉弁３を開放状態から閉塞状態にする。即ち、１回の開閉弁３の開閉動作により所定量のインクがインクタンク５からサブタンク４に充填される。
【００５４】
図７はストップレス記録制御中に必要となるサブタンク充填制御の詳細な処理シーケンスを示すフローチャートである。
【００５５】
この実施例では、ステップＳ３０１において、開閉弁３の開閉動作（充填用）を繰り返し制御する。そして、ステップＳ３０２ではその開閉動作毎にサブタンク４がインクで満たされたかどうかを確認する。これは、上述のように第１の中空管８とサブタンク４に設けた電極部１０との間に微小電流を流し、その結果得られる、第１の中空管８と電極部１０との間の電圧値を測定することによって確認することができる。
【００５６】
ここで、インクで満たされていないと判断された場合、処理はステップＳ３０４に進み、インクタンク５内にインクがあるかどうかを確認する。ここで、インクがあると判断された場合は、処理はステップＳ３０１に戻り、開閉弁３の開閉動作（充填用）を繰り返す。これに対して、インクタンク５内にインクがないと判断された場合、処理はステップＳ３０５に進み、インクタンク５の交換を促し、ステップＳ３０６においてインクタンクの交換完了を待ち合わせる。そして、インクタンク５の交換が確認されたなら、処理はステップＳ３０１に戻り、再び開閉弁３の開閉動作（充填用）を繰り返す。
【００５７】
なお、インクタンク５内にインクがあるかどうかは、第１の中空管８と第２の中空管９との間に微小電流を流した際にこれらの間の電圧値を測定することによってインク切れが近いことを判断する。また、インク切れが近く、残量がゼロにちかい（ニアエンド）場合の判断は、インクタンク５のＥＥＰＲＯＭ２０に格納されている残量の情報に基づいて行う。即ち、開閉弁３の一回の開閉動作によりＶ３の容量（約０．３６ｍｌ）をインクタンク５からサブタンク４へ導入可能なので、ＥＥＰＲＯＭ２０に格納されている残量を示す情報から計算することで判断する。
【００５８】
さて、ステップＳ３０２により、サブタンク４がインクで満たされたことが確認されると、処理はステップＳ３０３に進む。ステップＳ３０３では、マージンとして、開閉弁３の開閉動作を３０回行う。一旦、サブタンク４内がインクで満たされた後は、開閉弁３の容積Ｖ１分のインクは、大気連通室６とサブタンク４内を出入りするだけで、インクタンク５及びサブタンク４内のインク量は変化することはない。故に、少ない回数でサブタンク４が満たされる色のインクがある状態で、未だ満タンとはならない色のインクのために開閉弁３を制御してもインクが溢れ出るなどの問題は生じない。
【００５９】
上記サブタンク４へのインク充填シーケンスは１色のインクで説明したが、複数色のインクを充填する時は、その充填に開閉弁の開閉回数が一番多い色のインクのサブタンク４がインクで満たされるまで開閉弁制御を行う。また、マージンの３０回という開閉動作は、開閉動作の一番要する色のインクに対して行う。なお、開閉弁等の容積によって、この回数は変わってもよい。その後、処理は終了する。
【００６０】
次に以上の構成の記録装置における攪拌動作を図８〜図９を参照して説明する。
【００６１】
図８は開閉弁の動作に伴って変化するインクの流れを示す図である。
【００６２】
図８において、（ａ）は開閉弁３を閉塞状態から開放状態に変化させた状態を示す図であり、（ｂ）は開閉弁を開放状態から閉塞状態に変化させた状態を示す図である。なお、図９において、太い矢印はインクの流れを示している。また、既に、図２と図４において説明したのと同じ構成要素については同じ参照番号を付し、その説明は省略する。
【００６３】
図９は攪拌動作の処理を示すフローチャートである。
【００６４】
攪拌を行う際は、まず、ステップＳ４０１では、インクタンクが装着されているかどうかを調べる。ここで、インクタンクが装着されていないと判断された場合、処理はステップＳ４０２に進む、メッセージを表示してユーザにインクタンクの装着を促す。その後、処理はステップＳ４０１に進む。これに対して、インクタンクが装着されたことが確認されると、処理はステップＳ４０３に進む。
【００６５】
ステップＳ４０３では、サブタンク４内がインクで満たされているかどうかを調べる。ここで、サブタンク４が満タンでないと判断された場合は、処理はステップＳ４０４に進み、図７を参照して説明したサブタンク充填制御を実行し、その後、処理はステップＳ４０５に進む。これに対して、サブタンク４がインクで満たされていると判断された場合、処理はステップＳ４０５に進む。
【００６６】
ステップＳ４０５では、開閉弁３の開閉制御を実行してインクの撹拌動作を行う。ここでは、図７を参照して説明したステップＳ３０３と同様に開閉弁の開閉動作を、例えば、３０回実行することにより、インクの攪拌動作を行う。開閉弁の開閉動作によるインクの撹拌については図８を参照して、以下にさらに説明する。
【００６７】
図８（ａ）に示すように開閉弁３を閉塞状態から開放状態にすると、矢印が示すようにインクタンク５から開閉弁の容積変化分の容量Ｖ１のインクがサブタンク４を経由して開閉弁３まで引き込まれる。その際、大気連通室６から空気もしくはインクがインクタンク５内にも引き込まれる。その後、図８（ｂ）に示すように開閉弁３を開放状態から閉塞状態にすると、矢印が示すように、開閉弁の容積変化分の容量Ｖ１のインクがサブタンク４を経由して、インクタンク５内に流れ込む。その際、大気連通室６へインクタンク５からインクが流れ込む。図８（ｂ）の矢印で示すように、インクタンク５内にインクが流れ込むことにより、インクタンク５内にインクの流れが生じる。その際、サブタンク４内にもインクの流れが起きる。
【００６８】
従って、以上のような開閉弁３の開閉動作を繰り返すことにより、インクの流れを継続的に発生させ、インクタンク５内及びサブタンク４内のインクを攪拌することができるのである。この時もサブタンク４のインク充填と同じく、開閉弁３から記録ヘッド１までのインク供給流路の圧損が開閉弁３からインクタンク５までの圧損に比べてはるかに大きいため、殆ど記録ヘッド１側へはインクは流れない。結果、開閉弁３の容積変化分がインクタンク５へ流入／流出し、殆ど損失なくインクタンク５内のインクを攪拌可能となる。
【００６９】
この実施例では、インク攪拌のための開閉弁の開閉動作回数は記録装置の放置期間に応じて、表１が示すように、３つ定める。この表が示す情報がＥＥＰＲＯＭなどの不揮発性メモリに格納される。
【００７０】
表１
┌−−−−−−−−−−−−┬−−−−┬−−−−−−−┬−−−−┐
｜放置期間（Ｔ：単位は日）｜Ｔ＜１０｜１０≦Ｔ＜２０｜Ｔ≧２０｜
├−−−−−−−−−−−−┼−−−−┼−−−−−−−┼−−−−┤
｜    開閉動作回数（回）  ｜  １００｜    ２００    ｜  ４００｜
└−−−−−−−−−−−−┴−−−−┴−−−−−−−┴−−−−┘
即ち、放置期間が１０日未満であれば約１００回の開閉動作を行い、放置期間が１０日以上で２０日未満であれば約２００回の開閉動作を行い、放置期間が２０日以上であれば約４００回の開閉動作を行う。従って、ステップＳ４０５では、記録装置が長時間放置後に起動された場合、ＥＥＰＲＯＭなどに記憶されていた前回の電源ＯＦＦ時間から電源投入時までの経過時間を算出し、その経過時間と表１とを参照して、インク撹拌のための開閉弁の動作回数を決定する。
【００７１】
従って、記録装置が放置されていた期間の長さに従ってインク撹拌動作を行うための開閉弁の開閉動作回数を変化させることにより、最適なインク撹拌を行うことができる。これにより、装置起動時の待ち時間を不必要に長くなることがなりなり、ユーザにとっての好ましい。
【００７２】
なお、この実施例でのインク残量検出は、インクタンク５に設けられた電極によりニアエンドの検出を行い、その後は、記録ヘッドからのインク吐出数をカウントするドットカウント方式によって行っている。しかしながら、これによって本発明は限定されるものではない。例えば、フロート式や光学式等の他の方式でもよい。サブタンク４の満タン検知及びエンド検知においても同じく、この実施例では、電極検知とドットカウント方式を用いたが他の方式でもよい。
【００７３】
また、この実施例では、記録ヘッドへのインク供給をサブタンクから記録ヘッドへのインク供給路の開閉弁を用いる構成としたが、インク供給の手段と開閉弁とを分離してもよい。その場合、インク供給手段をサブタンクと開閉弁の間に設けた方が望ましい。このインク供給手段は蛇腹形態でもダイアフラム形態でも良く、容積変化可能な形態であれば、どのような形態でも適用可能である。従って、開閉弁はより一般的には容積可変部といっても良く、その拡大変形と縮小変形により内部容積が変化する。
【００７４】
さて、以上説明したようなインク供給・撹拌機構を用いる場合、インクの撹拌能力がインク供給手段（この実施例では開閉弁３）の能力に依存する。
【００７５】
図１０はインク供給手段（開閉弁３）の供給能力と撹拌能力の関係を示す図である。
【００７６】
図１０（ａ）では供給能力の指標として横軸にサブタンクを空の状態から満タンの状態となるまでの開閉動作回数を用いている。図１０（ａ）から分かるようにインク供給手段の能力とインク撹拌の能力は比例関係にはならない。
【００７７】
また、図１０（ｂ）はサブタンクが空の状態から満タンとするまでに必要とされる開閉弁の開閉動作回数（必要充填回数）と、装着されたインクタンクのインクの撹拌に必要な開閉弁の開閉動作回数（撹拌回数）の関係を示す表である。これらから、開閉弁の動作回数が２００回未満でサブタンクが満タンになるような場合（インク供給能力が高い）には、インク撹拌に必要な開閉弁の動作回数は１００回であり、一定以上の流速および流量が生じ、効率的にインクの撹拌が行われると言える。しかしながら、開閉弁の動作回数が５００回程度でサブタンクが満タンになるような場合（インク供給能力が低い）には、インク撹拌に必要な開閉弁の動作回数は１０００となり、撹拌効率が著しく低下する。
【００７８】
図１１はインク供給手段（開閉弁）のインク供給能力を推定する処理を示すフローチャートである。記録装置の使用初期には開閉弁の動作によりサブタンク内をインクで満たす必要がある。上述のようにインクが満タンになったことは、中空管８とサブタンク４に設けた電極部１０に微量な定電流を流した際の得られる電圧値によって判別することができる。
【００７９】
まず、ステップＳ５０１では充填回数のリセットを行い、ステップＳ５０２ではサブタンクの空き容量を取得する。記録装置の使用初期の場合は空き容量はサブタンクの容積そのものとなる。
【００８０】
ステップＳ５０３では、インク充填の可否を判定するシーケンスを動作させ、ステップＳ５０４ではインク充填動作を開始する。充填開始後は、ステップＳ５０５〜Ｓ５０７において、充填の可否を所定のサイクルで判定し、充填が１サイクル終了するたび毎にそのサイクル数をカウンタで加算し、充填完了と判断されるまで、これらの処理を継続する。ステップＳ５０５においてインク充填が完了したと判断された場合、処理はステップＳ５０８に進み、充填動作を終了する。
【００８１】
ステップＳ５０９では、インク供給手段（開閉弁）の動作回数（開閉回数）を記憶し、さらに、ステップＳ５１０では、この動作回数によりインク供給手段のインク供給能力を推定する。そして、このような一連の処理により決定された供給能力に基づいてインク撹拌動作の必要回数を決定する。従って、前述の実施例に加えて、インク供給手段のインク供給能力を考慮したインク撹拌動作の必要回数が決定される。
【００８２】
この決定の際には、例えば、図１０（ａ）に示したような測定結果から描かれたグラフを元にした数式を用いても良いし、また図１０（ｂ）に示したような特定の範囲ごとに場合分けをした変換テーブルを用いることもできる。
【００８３】
なお、インク供給能力の推定を記録装置の使用初期に行われるインク初期充填の際に行う以外にも行うことができる。インク使用量（例えば、インク吐出ドット）のカウントにより得られた値を記憶するなど、サブタンク内のインク使用量（＝インク充填量）が明らかな場合には、これを用いてインク供給手段のインク供給能力（１動作あたりのインク供給量）の推定できる。
【００８４】
このような装置使用中での推定は、初期充填の際に決定したインク供給能力が使用に伴い変動する場合に有効である。所定のタイミング、例えば、ポンプの所定動作回数ごとにインク供給能力の推定を行うよう構成しておけば、劣化により低下するインク供給能力の変化に対応する事が出来る。
【００８５】
従って以上説明した実施例に従えば、開閉弁のインク供給能力を推定できるので、例えば、開閉弁の経年変化に伴うインク供給能力の変化などに応じてインク撹拌動作のために必要な開閉弁の開閉動作回数を変化させることができる。これにより、最適なインク撹拌を行うことが可能になる。
【００８６】
＜別の実施例＞
また、インク各色で色剤（例えば、顔料粒子）の沈降の度合いが異なるため各色の沈降の良否を加味して撹拌の回数を決定するよう構成する事により、さらに撹拌回数の最適化を図ることができる。
【００８７】
一般に顔料グレーインクは顔料粒子の沈降が激しく、より強い撹拌が必要とされる。また、一般液にカーボンブラックが用いられるブラックインクでも同様にグレーインクほどではないが、同様に他の色に比較して沈降が激しい傾向がみられる。
【００８８】
図１２は８色のインクの特性を示す図である。図１２において、（ａ）は８色のインクの沈降状態を数値化した表であり、この表に示す沈降率は放置後のインクの記録濃度の上昇率により数値化したものである。図１２（ａ）に示したように、予めインクごとの沈降度合いを基準となるインク（ここでは、イエロ（Ｙ）インク）に対する係数として持っておき、測定により決定されたインク供給手段の能力に対して掛け合わせる事によって撹拌の回数を決定している。
【００８９】
図１２（ａ）に示したように、例えば、マットブラック（ＭＢｋ）インクは沈降率が４４％と大きく、従って、撹拌係数も２．２と最大になっている。また、図１２（ｂ）には、同じ記録装置において各インク供給手段の供給能力（１回あたりの供給量）を示している。また、図１２（ｂ）の下段には、この供給能力の測定結果から定められた撹拌回数を示している。さらに、図１２（ｃ）には、図１２（ａ）（ｂ）の結果を用いて、沈降係数を用いて補正を行って決定した撹拌回数を示している。
【００９０】
さらに、インク色によっては沈降の影響による色変化の少ない場合（例えば、ＰＢｋやＭＢｋ）があり、このような沈降の目立ちにくさを加味することも可能である。
【００９１】
なお、以上説明した実施例で用いたような開閉弁では記録装置の使用初期に一度供給動作を行えば、そのインク供給能力が分かるため、それ以降のインク供給動作時にインク供給能力を用いて制御する事も可能である。
【００９２】
以上説明した実施例では、サブインクへのインク充填が終了後、マージン分として３０回の開閉弁の開閉動作を追加的に実行しているが、このマージン分の動作回数をインク供給能力により可変とすることも可能である。例えば、図１０（ａ）や図１０（ｂ）に示す様なグラフ、テーブルを作成し、それぞれのポンプにより最適な回数を設定することにより、インク充填時間をさらに最適化することができる。
【００９３】
従って以上説明した実施例に従えば、前述した実施例に加えて各色インクの特性を考慮して、各インク毎に最適なインク撹拌を行うことができる。
【００９４】
なお、以上説明した実施例で用いた通電式のインク残量検出では継続して通電し続けると電極部分で分極が生じ、インク残量の検出ができない状態が生じる場合がある。一方、開閉弁の開閉動作１回あたりのインク供給量を推定して、インク供給の終点が推定できるため、インク充填動作開始時からインクタンク内のインク検知を行うのではなく、推定された充填終了の前後でインク残量検知を開始する構成とすることもできる。これにより、通電式のインク残量検出を行う構成を採用した記録装置で、インク残量検出を良好に行うことができる。
【００９５】
また、開閉弁の開閉動作１回あたりのインク供給量はサブタンク内の空き容量により変化する。上記の実施例では平均化されたインク供給量を元にしているが、例えば、その平均値を中心としてサブタンクの空き容量によりインク供給量を加減する構成とすることも可能である。例えば、１回あたりのインク供給量の平均が０．０５ｍｌである場合、サブタンクの空き容量が多い充填初期には供給量を０．０１ｍｌ、空き容量が少ない充填の末期には０．１ｍｌのように、１回あたりの供給量を空き容量により変化させても良い。
【符号の説明】
【００９６】
１  記録ヘッド、２  インクチューブ（インク流路）、３  開閉弁、４  サブタンク、５  インクタンク、６  大気連通室、８  第１の中空管、９  第２の中空管、１０  金属ピン、１８  インク装着センサ、２０  ＥＥＰＲＯＭ、５０  インクジェット記録装置、５４  操作パネル、６０  キャリッジ、６３  インク供給ユニット
【図１】
2017170751.tif 000003
【図２】
2017170751.tif 000004
【図３】
2017170751.tif 000005
【図４】
2017170751.tif 000006
【図５】
2017170751.tif 000007
【図６】
2017170751.tif 000008
【図７】
2017170751.tif 000009
【図８】
2017170751.tif 000010
【図９】
2017170751.tif 000011
【図１０】
2017170751.tif 000012
【図１１】
2017170751.tif 000013
【図１２】
2017170751.tif 000014